(57)【要約】【課題】パネル材を化粧材に対して簡易に取付けることができると共に、強固に固定することのできるドアを提供する。【解決手段】ドア本体１の外面に化粧材４を設けてなり、化粧材４は断面略円弧状の外面部２０を有し、外面部２０には開口部５が形成されると共に、背面側には少なくとも開口部５を挟んで２条の係合部２３が長手方向に沿って形成され、化粧材４の背面側には開口部５を覆う樹脂製の保護パネル材２５が設けられ、保護パネル材２５は断面略円弧状の外面部２０の背面に沿うように２条の係合部２３間に渡って取付けられてなる。【選択図】図２
2009030353.tif 000002
【特許請求の範囲】
【請求項１】
ドア本体の外面に化粧材を設けてなるドアにおいて、
前記化粧材は断面略円弧状の外面部を有し、該外面部には開口部が形成されると共に、背面側には少なくとも前記開口部を挟んで２条の係合部が長手方向に沿って形成され、前記化粧材の背面側には前記開口部を覆う樹脂製の保護パネル材が設けられ、該保護パネル材は断面略円弧状の前記外面部の背面に沿うように前記２条の係合部間に渡って取付けられてなることを特徴とするドア。
【請求項２】
前記保護パネル材は該保護パネル材自体の弾性により前記係合部に対して弾発係合し固定されてなることを特徴とする請求項１記載のドア。
【請求項３】
前記化粧材の係合部は前記保護パネル材の縁部を両面から挟持固定する形状を有してなることを特徴とする請求項２記載のドア。
【請求項４】
前記保護パネル材は透明または透光性を有するパネル材からなることを特徴とする請求項１〜３のいずれか１項に記載のドア。
【請求項５】
前記ドア本体には前記化粧材の開口部の位置に小窓が設けられることを特徴とする請求項４記載のドア。
【発明の詳細な説明】
【技術分野】
【０００１】
本発明は、建物の開口部や建物内に設置されるドアに関し、特にドア本体の表面に開口部を有する化粧材を設けてなるドアに関する。
【背景技術】
【０００２】
従来、建物の玄関や勝手口などの開口部、及び建物内部において用いられる各種のドアが知られている。ドアは、一面と他面にそれぞれ一側表面材と他側表面材が互いに対向するように設けられ、その間に断熱材を挟んでなるドア本体により構成される。また、ドア本体に小窓や化粧材を設けることにより、意匠性を向上させたドアも知られている。ドア本体に小窓を設けたドアとしては、例えば特許文献１に挙げるようなものがある。
【特許文献１】特開２０００−１０４４５９号公報
【発明の開示】
【発明が解決しようとする課題】
【０００３】
ドア本体に化粧材を設けてなるドアとしては、例えばドア本体の一側表面材に対して断面方形状の金属からなる長尺材を上下方向に沿って取付けたものなどがある。さらに、このような化粧材の意匠性を向上させるために、化粧材に小さい開口部を形成することがある。しかし、化粧材は金属材で形成されることが多く、また開口部には手の指を差し入れることもできるために、そのままでは危険性を有することもあった。このため、開口部が設けられた化粧材の背面側に樹脂製のパネル材が設けられる。
【０００４】
しかし、従来のドアでは、パネル材を化粧材の背面に対して両面テープ等により固定していたため、両面テープを取付ける手間がかかると共に、強固な固定をしにくいという問題があった。
【０００５】
本発明は、上記問題点を解決すべくなされたものであり、パネル材を化粧材に対して簡易に取付けることができると共に、強固に固定することのできるドアを提供することを目的とする。
【課題を解決するための手段】
【０００６】
上記課題を解決するため、本発明に係るドアは、ドア本体の外面に化粧材を設けてなるドアにおいて、
前記化粧材は断面略円弧状の外面部を有し、該外面部には開口部が形成されると共に、背面側には少なくとも前記開口部を挟んで２条の係合部が長手方向に沿って形成され、前記化粧材の背面側には前記開口部を覆う樹脂製の保護パネル材が設けられ、該保護パネル材は断面略円弧状の前記外面部の背面に沿うように前記２条の係合部間に渡って取付けられてなることを特徴として構成されている。
【０００７】
また、本発明に係るドアは、前記保護パネル材は該保護パネル材自体の弾性により前記係合部に対して弾発係合し固定されてなることを特徴として構成されている。
【０００８】
さらに、本発明に係るドアは、前記化粧材の係合部は前記保護パネル材の縁部を両面から挟持固定する形状を有してなることを特徴として構成されている。
【０００９】
さらにまた、本発明に係るドアは、前記保護パネル材は透明または透光性を有するパネル材からなることを特徴として構成されている。
【００１０】
そして、本発明に係るドアは、前記ドア本体には前記化粧材の開口部の位置に小窓が設けられることを特徴として構成されている。
【発明の効果】
【００１１】
本発明に係るドアによれば、化粧材は断面略円弧状の外面部を有し、外面部には開口部が形成されると共に、背面側には少なくとも開口部を挟んで２条の係合部が長手方向に沿って形成され、化粧材の背面側には開口部を覆う樹脂製の保護パネル材が設けられ、保護パネル材は断面略円弧状の外面部の背面に沿うように２条の係合部間に渡って取付けられてなることにより、化粧材の開口部を背面側から覆う保護パネル材を、接着等しなくても簡易にかつ強固に固定することができる。
【００１２】
また、本発明に係るドアによれば、保護パネル材は該保護パネル材自体の弾性により係合部に対して弾発係合し固定されてなることにより、保護パネル材を化粧材に対してさらに強固に固定することができる。
【００１３】
さらに、本発明に係るドアによれば、化粧材の係合部は保護パネル材の縁部を両面から挟持固定する形状を有してなることにより、保護パネル材を係合部に差込み、変形させることで簡単に化粧材に対して取付けることができる。
【００１４】
さらにまた、本発明に係るドアによれば、保護パネル材は透明または透光性を有するパネル材からなることにより、開口部を介した採光性を持たせることができる。
【００１５】
そして、本発明に係るドアによれば、ドア本体には化粧材の開口部の位置に小窓が設けられることにより、開口部を介した採光性を持たせることができる。
【発明を実施するための最良の形態】
【００１６】
本発明の実施形態について図面に沿って詳細に説明する。図１には本実施形態におけるドアの正面図を示している。本実施形態におけるドアは、建物の開口部に取付けられるドア枠体（図示しない）に対し、開閉自在に納められるドア本体１からなり、ドア本体１は、一側部に手で持って開閉するための把手部及びロック部を取付可能な取付部２と、吊元側に設けられドア枠体に対して開閉自在に支持される蝶番取付部３とを備え、さらにドア本体１の左右方向中央部には、上下方向の略全長に渡って金属からなる化粧材４が取付けられている。化粧材４には、上下方向に沿って方形状に形成された開口部５が複数設けられている。
【００１７】
図２には図１のＡ−Ａ断面図を、図３には図１のＢ−Ｂ断面図を、それぞれ示している。これら各図に示すように、ドア本体１は、薄板状に形成された一側表面材１０と他側表面材１１とが、互いに対向するように配置され、これら一側表面材１０と他側表面材１１との間には、発泡スチロール等からなる略板状の断熱材１２が挟持されて構成されている。また、ドア本体１には本体開口部１３が形成されており、この本体開口部１３に対して小窓６が取付けられている。本体開口部１３は、化粧材４に複数形成された開口部５が配置される領域に渡るように形成されている。
【００１８】
小窓６は、ドア本体１の本体開口部１３の縁部に固定される窓枠体３０と、窓枠体３０内に納められガラスからなるパネル体３１とで構成されている。窓枠体３０は、上下左右の枠材を方形状に枠組みしてなり、見込方向の一側と他側でパネル体３１の周縁部を四周に渡って挟持固定する。
【００１９】
化粧材４は、ドア本体１の一側表面材１０の表面に設けられるものであって、図２に示すように表面に露出する部分は断面略円弧状に形成された外面部２０として形成されている。外面部２０の左右両端部には、一側表面材１０に当接する固定部２１が長手方向に沿って形成されており、この固定部２１と一側表面材１０との間に両面テープ２１ａが設けられることにより、化粧材４がドア本体１に対して接着固定される。外面部２０は左右方向には小窓６の窓枠体３０を跨ぐ幅に形成されており、左右の固定部２１は窓枠体３０の外周側に位置する。また、化粧材４の上下端部には、図３に示すように端部キャップ２４が設けられており、化粧材４とドア本体１との隙間の端面を閉塞する。
【００２０】
また、外面部２０の左右方向中央部には、前述の開口部５が長手方向に複数形成されている。化粧材４の長手方向において外面部２０に開口部５が形成されている位置には、外面部２０の背面に沿って保護パネル材２５が設けられる。保護パネル材２５は、アクリル等の透明または透光性を有する樹脂板によって形成されている。化粧材４に形成された全ての開口部５は、ガラスからなる小窓６のパネル体３１と対向しており、保護パネル材２５が透明または透光性を有する材料により形成されていることにより、ドア本体１は開口部５を介して外部から採光することができる。
【００２１】
外面部２０の背面側には、ドア本体１側に向かって突出する背面突出部２２が長手方向に沿って形成されている。背面突出部２２は、開口部５が設けられる外面部２０の左右方向中央部を挟んで２箇所に設けられる。背面突出部２２の根元部分には、他方の背面突出部２２と対向する面に係合部２３が長手方向に沿って形成される。すなわち、係合部２３は開口部５を挟むように２条が設けられる。
【００２２】
係合部２３は、背面突出部２２から外面部２０の左右方向中央部側に向かって突出するように形成され、外面部２０との間で保護パネル材２５の左右縁部を挟持するような形状に形成されている。保護パネル材２５は樹脂板によって形成されているため弾性を有しており、それが外面部２０の背面に沿って湾曲するように取付けられているので、保護パネル材２５の端部は係合部２３に対して弾発係合し、化粧材４に対して固定されている。
【００２３】
図４には、化粧材４に対する保護パネル材２５の取付過程を表した横断面図を示している。保護パネル材２５は、図４に示された符号ａ、ｂ、ｃ、ｄの順で化粧材４に対して取付けられる。符号ａで示されるように、保護パネル材２５は平板状であって化粧材４の２条の係合部２３間の距離よりも若干幅広に形成されている。この保護パネル材２５を符号ｂで示されるように、一側の端部を化粧材４に形成された一側の係合部２３と外面部２０の背面との間に挿入する。続いて全体を外面部２０の凸とは反対方向に凸となるよう湾曲させながら他側の端部を化粧材４に形成された他側の係合部２３と外面部２０の背面との間に挿入する。これによって保護パネル材２５は符号ｃで示す状態となる。
【００２４】
保護パネル材２５が符号ｃで示される状態となったら、保護パネル材２５の中央部付近を外面部２０の背面側に押圧する。これによって外面部２０の凸と反対方向に凸となるように湾曲された保護パネル材２５は、外面部２０の凸に沿うように変形し、それと共に保護パネル材２５の両側縁部がそれぞれ係合部２３に対して弾発係合する。これによって保護パネル材２５は外面部２０の背面に沿うように固定され符号ｄで示す状態となる。
【００２５】
このように、断面略円弧状に形成された化粧材４の外面部２０が長手方向に２条の係合部を備え、係合部間の距離より若干幅広の保護パネル材２５を湾曲させながら取付けることにより、保護パネル材２５に両面テープ等の接着のための構成を設けることなく、これを化粧材４に対して固定することができる。したがって、保護パネル材２５を簡易にかつ強固に化粧材４に取付けることができる。
【００２６】
また、係合部２３が背面突出部２２において外面部２０との間で保護パネル材２５の左右縁部を挟持するような形状に形成されていることで、保護パネル材２５を係合部２３に差込むように取付けることができるので、より簡易に保護パネル材２５の取付を行うことができる。
【００２７】
本実施形態では、図１に示すように化粧材４には、方形状の開口部５を所定の間隔を有するように縦方向に４つ設けたが、開口部５の数や配置についてはこれに限られず、任意に設定することができる。図５には、開口部５の構成が異なるドアの正面図を示している。この図では円形に形成された９つの開口部５が、近接した格子状に配置されている。この場合には、ドア本体１に形成される小窓６は、パネル体３１が９つの開口部５のいずれとも対向していればよいので、図１に示すものよりも小さくてもよい。また化粧材４の背面側に設けられる保護パネル材２５も、全ての開口部５を覆うことができる程度の大きさとする。
【００２８】
以上、本発明の実施形態について説明したが、本発明の適用は本実施形態には限られず、その技術的思想の範囲内において様々に適用されうるものである。
【図面の簡単な説明】
【００２９】
【図１】本実施形態におけるドアの正面図である。
【図２】図１のＡ−Ａ断面図である。
【図３】図１のＢ−Ｂ断面図である。
【図４】化粧材に対する保護パネル材の取付過程を表した横断面図である。
【図５】開口部の構成が異なる形態のドアの正面図である。
【符号の説明】
【００３０】
１    ドア本体
４    化粧材
５    開口部
６    小窓
２０    外面部
２１    固定部
２２    背面突出部
２３    係合部
２５    保護パネル材
３０    窓枠体
３１    パネル体
【図１】
2009030353.tif 000003
【図２】
2009030353.tif 000004
【図３】
2009030353.tif 000005
【図４】
2009030353.tif 000006
【図５】
2009030353.tif 000007